(57)【要約】【課題】エンコーダ側／デコーダ側間で、クロック情報を送受し、デコーダをエンコーダにロックする必要があり、装置が複雑になる。【解決手段】ＭＰＥＧ規格で圧縮されたデジタルデータストリームをネットワーク経由で受信するネットワークＩＦ部と、前記ネットワークＩＦ部からのデジタルデータを格納するストリームバッファと、前記ストリームバッファからのデジタルデータをデコードするデコーダ部と、前記デコーダ部からの表示タイミング最大遅延量から前記ストリームバッファの出力タイミングを制御するストリームバッファ出力制御部と、前記でコーダ部からの映像を表示する映像表示部とを備える。【選択図】図１
2008010912.tif 000002
【特許請求の範囲】
【請求項１】
ＭＰＥＧ規格で圧縮されたデジタルデータストリームをネットワーク経由で受信するネットワークＩＦ部と
前記ネットワークＩＦ部からのデジタルデータを格納するストリームバッファと
前記ストリームバッファからのデジタルデータをデコードするデコーダ部と
前記デコーダ部からの表示タイミング最大遅延量から前記ストリームバッファの出力タイミングを制御するストリームバッファ出力制御部と
前記でコーダ部からの映像を表示する映像表示部と
を備えた動画像復号装置において, 
ストリームに含まれる時間情報と前記デコーダ部とで管理している時間情報のずれを補正してなめらかに映像表示することを特徴とする動画像復号装置。
【発明の詳細な説明】
【技術分野】
【０００１】
本発明は，ＭＰＥＧデータの受信装置に関し，特にネットワーク経由でＭＰＥＧデータを受信する受信装置に関するものである。
【背景技術】
【０００２】
従来の動画像復号装置としては，エンコーダ側とデコード側で同期をロックするために，受信ストリームに含まれるクロック情報，及びデコーダ内のバッファデータ量によりクロックを補正してデコーダをエンコーダに同期させているものがある。(例えば，特許文献１参照)。
【０００３】
図４は，前記特許文献１に記載された従来の動画像復号装置を示すものである。
【０００４】
図５は，前記特許文献１に記載された従来の動画像復号装置のＰＬＬの概略構成を示すものである。
【０００５】
従来の動画像復号装置としては，デジタル衛星放送に用いられている受信機について図４を参照して説明する。
【０００６】
図４はデジタル衛星放送に用いられている受信機を示しており，受信機は大別して，チューナ・モジュール４０，デスクランブラ４１，ＭＰＥＧトランスポートデコーダ４２，ＭＰＥＧ２ビデオデコーダ４３，ＭＰＥＧ１オーディオデコーダ４５，ＮＴＳＣエンコーダ４４，Ｄ／Ａコンバータ４６，制御用ＣＰＵ４７から構成される。
【０００７】
ここで，ＭＰＥＧトランネポートデコーダ４２は，システムデコーダあるいはトランスポートデマルチプレクサ（ＤＭＵＸ）などとも呼ばれる。受信機における信号処理を説明すると，まず衛星放送受信アンテナで受信した衛星波が，チューナ・モジュール４０に入力される。
【０００８】
チューナ・モジュール４０は，受信トランスポンダの切換え，復調，誤り訂正の復号などを行い，個別のデータ列（ストリーム）が多重化されたＭＰＥＧ２トランスポート・ストリームを抽出する。このトランスポート・ストリーム（Transport Stream：以下，ＴＳと記す）は，デスクランブラ４１に入力されて，図示を省略したＩＣカード等から供給されるデスクランブル用の鍵データを用いてデスクランブル（暗号解除）され，ＭＰＥＧトランスポートデコーダ４２に転送される。
【０００９】
ＭＰＥＧトランスポートデコーダ４２は，視聴者の選局操作に基づくプログラム仕様情報（Program Specific Information：以下，ＰＳＩと記す）を受信し，ＴＳから必要な映像データと音声データを抽出し，ＭＰＥＧ２ビデオデコーダ４３及びＭＰＥＧ１オーディオデコーダ４５に送出する。
【００１０】
ＭＰＥＧ２ビデオデコーダ４３は，映像データの圧縮を解除し，ＮＴＳＣエンコーダ４４によりＮＴＳＣ信号に変換してテレビ受像機へ出力する。
【００１１】
ＭＰＥＧ１オーディオデコーダ４５は，音声データの圧縮を解除し，Ｄ／Ａコンバータ４６によりアナログ信号に変換してテレビ受像機へ出力する。制御用ＣＰＵ４７は，これら一連の処理を制御する。ＭＰＥＧトランスポートデコーダ４２は，ＭＰＥＧトランスポートデコーダ４２，ＭＰＥＧ２ビデオデコーダ４３，ＭＰＥＧ１オーディオデコーダｅ，
ＮＴＳＣエンコーダ４４で使用するクロック信号の再生処理を行う機能も有している。
【００１２】
このクロック信号の再生処理とは，放送事業者側で衛星波等の放送波を符号化して圧縮するＭＰＥＧエンコーダ（符号化装置）と，視聴者側で映像データや音声データの圧縮を解除するＭＰＥＧデコーダ（復号化装置）との間で共通の時間管理，すなわち同期をとる処理である。次に，クロック信号の再生処理について，図５を参照して説明する。
【００１３】
図５は，クロック信号の再生処理に用いられる位相ロックループ（Phase Locked Loop：以下，ＰＬＬと記す）の概略構成を示すブロック図である。図５に示すように，ＰＬＬは，引き算部（位相比較部）５０，クロック調整部５１，デジタル／アナログ変換部（以下，Ｄ／Ａ変換部と記す）５２，ローパスフィルタ（以下，ＬＰＦと記す）５３，電圧制御発振部（Voltage Control Oscillator：以下，ＶＣＯと記す）５４，カウンタ部５５からなる帰還閉回路により構成される。引き算部５０は，特定のストリームから抽出したプログラム時刻基準参照値（Program Clock Reference：以下，ＰＣＲと記す）情報からのカウンタ値と，カウンタ部からのカウンタ値を比較し，クロック調整部５１は，その比較結果とバッファメモリ内のデータ量を元にその差分をＤ／Ａ変換部５２，ローパスフィルタ５３を介して電圧信号に変換してＶＣＯ５４に印加する。この電圧信号によりクロック信号ＣＬＫの位相を補正して出力するとともに，カウンタ部に書き込みを行う。
【特許文献１】特開平１１−１１２９８２号公報
【発明の開示】
【発明が解決しようとする課題】
【００１４】
しかしながら，前記従来の構成では，エンコーダ側・デコーダ側間でクロック情報を送受し，ＰＬＬを用いてデコーダをエンコーダにロックする必要があり，装置が複雑になるという課題を有していた。一方，受信信号がネットワークで接続されている場合は，そのネットワークのトラフィックの影響により，転送タイミングが大きく変動するケースがあるが，前記従来の構成では特に考慮されていなかった。
【００１５】
本発明は，前記従来の課題を解決するもので，ネットワーク接続された受信信号に転送ジッタがある場合でもスムーズな再生が可能で，かつＰＬＬ機能を不要にすることで低コスト化を可能とした，動画像復号装置を提供することを目的とする。
【課題を解決するための手段】
【００１６】
前記従来の課題を解決するために，本発明の動画像復号装置は，ＭＰＥＧ規格で圧縮されたデジタルデータストリームをネットワーク経由で受信するネットワークＩＦ部と，前記ネットワークＩＦ部からのデジタルデータを格納するストリームバッファと，前記ストリームバッファからのデジタルデータをデコードするデコーダ部と，前記デコーダ部からの表示タイミング最大遅延量から前記ストリームバッファの出力タイミングを制御するストリームバッファ出力制御部と，前記でコーダ部からの映像を表示する映像表示部とを備えている。
【００１７】
本構成によって，ストロームに含まれる時間情報と前記デコーダ部で管理している時間情報のずれの最大値を記録して，それ以降のストリームに対しても同時間のずれを持って出力タイミングを制御する。
【発明の効果】
【００１８】
本発明の動画像復号装置によれば，ネットワーク部での転送ジッタがある場合でもなめらかに映像表示することができる。また，ＰＬＬ機能が不要になるので，低コスト化が可能となる。
【発明を実施するための最良の形態】
【００１９】
以下，本発明を実施するための最良の形態について，図面を参照しながら説明する。
（第１実施形態）
【００２０】
図１は，本発明の第１実施形態における動画像受信装置のブロック図ある。図２は，本発明の第１実施形態における改善前の処理タイミング図である。図３は，本発明の第１実施形態における改善後の処理タイミング図である。図３において，図２と同じ構成要素については同じ符号を用い，説明を省略する。
【００２１】
図１において，動画像受信装置はネットワークＩＦ１０，ストリームバッファ１１，デコード部１２，ストリームバッファ出力制御部１３，映像表示部１４とから構成されている。
【００２２】
このような構成によれば，デコード部１２はストリームに含まれる時刻情報とデコーダ部１２内部でカウントする時刻のずれの最大値を記録し，ストリームバッファ出力タイミング制御部１３は，そのずれの最大値を維持するようにストリームバッファからの出力タイミングを制御することで，なめらかな映像表示が可能となる。
【００２３】
図２において，Ｆ１〜Ｆ１７は，奇数フレームのデータストリームを表している。Ｔ１〜Ｔ１７は，デコーダの表示タイミングを表している。
【００２４】
バッファへの入力タイミングａは，ネットワークＩＦからストリームバッファ間のデータタイミングであり，ネットワーク部の影響により各フレーム間のタイミングが異なっている様子を表している。このとき，Ｆ３−Ｆ５間が最大遅延であり，デコーダの表示タイミングと比較して３フレーム遅れている。
【００２５】
バッファへの入力タイミングｂは，ストリームバッファ１１からデコード部間のデータタイミングであり，バッファへの入力タイミングｃは，デコード部から映像表示部間のデータタイミングである。
【００２６】
図２のように，ネットワークＩＦより転送ジッタのある状態で映像表示がされているため違和感のある映像となる。図３は，バッファへの入力タイミングｂにおいてＦ７のタイミングから，デコーダの表示タイミングとの最大遅延である３フレームを維持してストリームバッファからの出力タイミングを制御している。このため，バッファへの入力タイミングｃでの映像表示タイミングにおいて各フレーム間のタイミングが均一になり，なめらかな表示が可能となる。
【産業上の利用可能性】
【００２７】
本発明にかかる動画像復号装置は，ネットワークの転送ジッタがある場合でもなめらかな映像表示が可能になるので，ネットワーク経由でＭＰＥＧデータを受信する受信装置等として有用である。
【図面の簡単な説明】
【００２８】
【図１】本発明の実施の形態１における動画像受信装置のブロック図
【図２】本発明の実施の形態１における改善前の処理タイミング図
【図３】本発明の実施の形態１における改善後の処理タイミング図
【図４】従来の動画像受信装置のブロック図
【図５】従来の動画像復号装置のＰＬＬの概略ブロック図
【符号の説明】
【００２９】
１０  ネットワークＩＦ
１１  ストリームバッファ部
１２  デコード部
１３  ストリームバッファ出力制御部
１４  映像表示部
４０  チューナ・モジュール
４１  デスクランブラ
４２  ＭＰＥＧトランスポートデコーダ
４３  ＭＰＥＧ２ビデオデコーダ４３
４４  ＮＴＳＣエンコーダ
４５  ＭＰＥＧ１オーディオデコーダ
４６  Ｄ／Ａコンバータ
４７  制御用ＣＰＵ
５０  引き算部
５１  クロック調整部
５２  デジタルアナログ変換部
５３  ローパスフィルタ
５４  電圧制御発信部
５５  カウンタ部
【図１】
2008010912.tif 000003
【図２】
2008010912.tif 000004
【図３】
2008010912.tif 000005
【図４】
2008010912.tif 000006
【図５】
2008010912.tif 000007